(57)【要約】      （修正有）【課題】風呂敷等の四角形のシートを加工することなくそのまま用いてバッグの把持部として使用可能な持ち手と持ち手を用いたバッグを提供する。【解決手段】四角形のシート３をバッグにするために用いる持ち手１であって、立面視において上部に設けられている把持部５と、把持部５の下方にシート３の角部７を挿入する第１の挿入部９と第１の挿入部９の両側にシート３の角部７を形成する辺をそれぞれ引っ掛ける引っ掛け部１１とを有するシート保持部１３とを備えている。また、持ち手１を用いたバッグは、内袋を備えている。【選択図】図１
0003195896.tif 000002
【実用新案登録請求の範囲】
【請求項１】
四角形のシートをバッグにするために用いる持ち手であって、
立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備える事を特徴とする持ち手。
【請求項２】
立面視において第１の挿入部は水平方向に細長い孔であり、第１の挿入部の両端と引っ掛け部が隣接していることを特徴とする請求項１に記載の持ち手。
【請求項３】
引っ掛け部は、第１の挿入部の両端より上方に向けられた凸部である事を特徴とする請求項１または２に記載の持ち手。
【請求項４】
シート保持部は、立面視において第１の挿入部の下方に第１の挿入部に挿入された角部を固定する固定部を備えている事を特徴とする請求項１〜３のいずれか１項に記載の持ち手。
【請求項５】
固定部は、角部を挟んで固定する留め具、または、第１の挿入部の下方に設けられた第２の挿入部である事を特徴とする請求項３に記載の持ち手。 
【請求項６】
四角形のシートをバッグにするために用いる持ち手であって、
立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備え、
立面視において第１の挿入部は水平方向に細長い孔であり、第１の挿入部の両端と引っ掛け部が隣接し、
引っ掛け部は、第１の挿入部の両端より上方に向けられた凸部であり、
シート保持部は、立面視において第１の挿入部の下方に第１の挿入部に挿入された角部を固定する固定部を備え、
固定部は、角部を挟んで固定する留め具、または、第１の挿入部の下方に設けられた第２の挿入部である事を特徴とする持ち手。
【請求項７】
請求項１〜６のいずれかに記載の持ち手を用いたバッグ。
【請求項８】
内袋を備えたことを特徴とする請求項７に記載の持ち手を用いたバッグ。
【請求項９】
内袋は引っ掛け部に引っ掛ける輪を備えたことを特徴とする請求項８に記載の持ち手を用いたバッグ。
【考案の詳細な説明】
【技術分野】
【０００１】
本考案は、四角形のシートを、バッグとして利用するために用いる、持ち手と持ち手を用いたバッグに関するものである。
【背景技術】
【０００２】
従来においては、例えば、持ち手を設けた風呂敷が提案されている（特許文献１参照）。この特許文献１は、風呂敷の対角線上に対向する２箇所に持ち手用プレートを縫着し、被梱包体を風呂敷の上に置いた後、持ち手のついていない対角線上に対向する隅部を結びつけた後、持ち手のついている隅部どうしを合わせて、持ち手用プレートを保持可能とする構造を開示している。
【先行技術文献】
【特許文献】
【０００３】
【特許文献１】特開２００５−１３２４１１号公報
【考案の概要】
【考案が解決しようとする課題】
【０００４】
しかし、特許文献１では、風呂敷にあらかじめ加工を施し、風呂敷本体に手提げとしての機能を持たせた構造となっている。そのため、市販されている従来の一般的な風呂敷等の四角形のシートを、そのまま活用することが困難であるという問題があった。
【０００５】
そこで、本考案は、上述の従来技術の問題に鑑み、風呂敷等の四角形のシートに、加工を加えることなくそのまま用いて、バッグの把持部として使用可能な持ち手と持ち手を用いたバッグを提供することを目的とする。
【課題を解決するための手段】
【０００６】
上記課題を解決するために、請求項１に記載の四角形のシートをバッグにするために用いる持ち手に係る考案は、例えば、図１，図８，図１６に示すように、立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備えている事を特徴とする。
【０００７】
請求項１に記載の持ち手に係る考案によれば、立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備えるので、風呂敷等の四角形のシートを加工することなくそのまま取り付けて、バッグの把持部として使用可能な持ち手を提供することができる。
【０００８】
請求項２に記載の持ち手に係る考案は、例えば、図１，図８，図１６に示すように、立面視において第１の挿入部は水平方向に細長い孔であり、第１の挿入部の両端と引っ掛け部が隣接している事を特徴とする。
【０００９】
請求項２に記載の持ち手に係る考案によれば、立面視において第１の挿入部は水平方向に細長い孔であるのでシートの角部をスムーズに挿入することができ、かつ、第１の挿入部の両端と引っ掛け部が隣接しているので挿入したシートの角部の辺をたるませることなく引っ掛け部に引っ掛けて保持でき、美観を保つことができる。
【００１０】
請求項３に記載の持ち手に係る考案は、例えば、図１，図８，図１６に示すように、引っ掛け部は、第１の挿入部の両端より上方に向けられた凸部である事を特徴とする。
【００１１】
請求項３に記載の持ち手に係る考案によれば、引っ掛け部は、第１の挿入部の両端より上方に向けられた凸部であるので、挿入したシートの角部の辺をシート保持部の両端でそれぞれしっかり保持することができ、挿入した角部への負荷を減少し、角部が抜け落ちるのを防止することができる。
【００１２】
請求項４に記載の持ち手に係る考案は、例えば、図１，図８，図１６に示すように、シート保持部は、立面視において第１の挿入部の下方に第１の挿入部に挿入された角部を固定する固定部を備えている事を特徴とする。
【００１３】
請求項４に記載の持ち手に係る考案によれば、シート保持部は、立面視において第１の挿入部の下方に第１の挿入部に挿入された角部を固定する固定部を備えているので、第１の挿入部から抜け落ちるのを防止することができる。
【００１４】
請求項５に記載の持ち手に係る考案は、例えば、図１，図８，図１６に示すように、固定部は、角部を挟んで固定する留め具、または、第１の挿入部の下方に設けられた第２の挿入部である事を特徴とする。
【００１５】
請求項５に記載の持ち手に係る考案によれば、固定部は角部を挟んで固定する留め具であるので角部をしっかりと挟んで固定することができ、または、第１の挿入部の下方に設けられた第２の挿入部であるのでシートの角部挿入することにより留め具を用いることなく容易に固定することができる。
【００１６】
請求項４に記載の持ち手に係る考案は、例えば、図１，図８，図１６に示すように、四角形のシートをバッグにするために用いる持ち手であって、立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備え、立面視において第１の挿入部は水平方向に細長い孔であり、第１の挿入部の両端と引っ掛け部が隣接し、引っ掛け部は、第１の挿入部の両端より上方に向けられた凸部であり、シート保持部は、立面視において第１の挿入部の下方に第１の挿入部に挿入された角部を固定する固定部を備え、固定部は、角部を挟んで固定する留め具、または、第１の挿入部の下方に設けられた第２の挿入部である事を特徴とする。
【００１７】
請求項６に記載の持ち手に係る考案によれば、立面視において上部に設けられている把持部と、把持部の下方にシートの角部を挿入する第１の挿入部と第１の挿入部の両側にシートの角部を形成する辺をそれぞれ引っ掛ける引っ掛け部とを有するシート保持部とを備えるので、風呂敷等の四角形のシートを加工することなくそのまま取り付けて、バッグの把持部として使用可能な持ち手を提供することができる。
【００１８】
請求項６に記載の持ち手に係る考案によれば、立面視において第１の挿入部は水平方向に細長い孔であるのでシートの角部をスムーズに挿入することができ、かつ、第１の挿入部の両端と引っ掛け部が隣接しているので挿入したシートの角部の辺をたるませることなく引っ掛け部に引っ掛けて保持でき、美観を保つことができる。
【００１９】
請求項６に記載の持ち手に係る考案によれば、引っ掛け部は、第１の挿入部の両端より上方に向けられた凸部であるので、挿入したシートの角部の辺をシート保持部の両端でそれぞれしっかり保持することができ、挿入した角部への負荷を減少し、角部が抜け落ちるのを防止することができる。
【００２０】
請求項６に記載の持ち手に係る考案によれば、シート保持部は、立面視において第１の挿入部の下方に第１の挿入部に挿入された角部を固定する固定部を備えているので、第１の挿入部から抜け落ちるのを防止することができる。
【００２１】
請求項６に記載の持ち手に係る考案によれば、固定部は角部を挟んで固定する留め具であるので角部をしっかりと挟んで固定することができ、または、第１の挿入部の下方に設けられた第２の挿入部であるのでシートの角部挿入することにより留め具を用いることなく容易に固定することができる。
【００２２】
請求項７に記載の持ち手を用いたバッグに係る考案は、例えば、図６，図１４，図２５、図３２、図３４に示すように、請求項１〜６のいずれかに記載の持ち手を用いたバッグである事を特徴とする。
【００２３】
請求項７に記載の持ち手を用いたバッグに係る考案によれば、請求項１〜６のいずれかに記載の持ち手を用いたバッグであるので、使用者が好むシートを容易にバッグにすることができる。
【００２４】
請求項８に記載の持ち手を用いたバッグに係る考案は、例えば、図３２，図３４に示すように、内袋を備えた事を特徴とする。
【００２５】
請求項８に記載の持ち手を用いたバッグに係る考案によれば、内袋を備えているので、シートが汚れることなく丈夫なバッグを提供することができる。
【００２６】
請求項９に記載の持ち手を用いたバッグに係る考案は、例えば、図３２，図３４に示すように、内袋は引っ掛け部に引っ掛ける輪を備えた事を特徴とする。
【００２７】
請求項７に記載の持ち手を用いたバッグに係る考案によれば、内袋は引っ掛け部に引っ掛ける輪を備えているので、内袋がずれることない使いやすいバッグを提供することができる。
【考案の効果】
【００２８】
本考案によれば、風呂敷等の四角形のシートを加工することなくそのまま用いて、バッグの把持部として使用可能な持ち手と持ち手を用いたバッグを提供することができる。
【図面の簡単な説明】
【００２９】
【図１】本考案に係る持ち手の一例を示す斜視図であり、第１の挿入部にシートの角部を挿入し始めた例を示す図である。
【図２】本考案に係る持ち手の一例を示す斜視図であり、第１の挿入部にシートの角部を挿入後の例を示す図である。
【図３】本考案に係る持ち手の一例を示す斜視図であり、シートの角部を留め具で止めた例を示す図である。
【図４】本考案に係る持ち手の一例を示す斜視図であり、第１の挿入部の両側に設けられた引っ掛け部にシートの角部を形成する辺をそれぞれ引っ掛けた例を示す図である。
【図５】本考案に係る持ち手の一例を示す斜視図であり、対向するシートの角部に一対の持ち手を取り付けた例を示す図である。
【図６】本考案に係る持ち手の一例を示す斜視図であり、持ち手が取り付けられていない対向するシートの角部に結び目を設けた例を示す図である。
【図７】本考案に係る持ち手の一例を示す斜視図であり、一対の持ち手の把持部を合わせたバッグの斜視図である。
【図８】本考案に係る持ち手の一例を示す斜視図であり、第１の挿入部にシートの角部を挿入し始めた例を示す図である。
【図９】本考案に係る持ち手の一例を示す斜視図であり、第１の挿入部にシートの角部を挿入後の例を示す図である。
【図１０】本考案に係る持ち手の一例を示す斜視図であり、第１の挿入部の両側に設けられた引っ掛け部にシートの角部を形成する辺をそれぞれ持ち上げた例を示す図である。
【図１１】本考案に係る持ち手の一例を示す斜視図であり、第１の挿入部の両側に設けられた引っ掛け部にシートの角部を形成する辺をそれぞれ引っ掛けた例を示す図である。
【図１２】本考案に係る持ち手の一例を示す斜視図であり、対向するシートの角部に一対の持ち手を取り付けた例を示す図である。
【図１３】本考案に係る持ち手の一例を示す斜視図であり、持ち手が取り付けられているシートの角部と持ち手が取り付けられていないシートの角部を交差させた例を示す図である。
【図１４】本考案に係る持ち手の一例を示す斜視図であり、持ち手が取り付けられているシートの角部と持ち手が取り付けられていないシートの角部を結んだ例を示す図である。
【図１５】本考案に係る持ち手の一例を示す斜視図であり、一対の持ち手の把持部を合わせたバッグの斜視図である。
【図１６】本考案に係る持ち手の一例を示す斜視図であり、（ａ）は第１の挿入部にシートの角部を挿入し始めた例を示す図であり、（ｂ）は引っ掛け部の側面図である。
【図１７】本考案に係る持ち手の一例を示す斜視図であり、第１の挿入部にシートの角部を挿入後の例を示す図である。
【図１８】本考案に係る持ち手の一例を示す斜視図であり、第２の挿入部にシートの角部を挿入し始めた例を示す図である。
【図１９】本考案に係る持ち手の一例を示す斜視図であり、第２の挿入部にシートの角部を挿入後の例を示す図である。
【図２０】本考案に係る持ち手の一例を示す斜視図であり、第２の挿入部の両側に設けられた引っ掛け部にシートの角部を形成する辺をそれぞれ持ち上げ始めた例を示す図である。
【図２１】本考案に係る持ち手の一例を示す斜視図であり、第１の挿入部の両側に設けられた引っ掛け部の隙間にシートの角部を形成する辺をそれぞれ挿入し始めた例を示す図である。
【図２２】本考案に係る持ち手の一例を示す斜視図であり、第１の挿入部の両側に設けられた引っ掛け部にシートの角部を形成する辺をそれぞれ引っ掛けた例を示す図である。
【図２３】本考案に係る持ち手の一例を示す斜視図であり、対向するシートの角部に一対の持ち手を取り付けた例を示す図である。
【図２４】本考案に係る持ち手の一例を示す斜視図であり、持ち手が取り付けられているシートの角部と持ち手が取り付けられていないシートの角部を交差させた例を示す図である。
【図２５】本考案に係る持ち手の一例を示す斜視図であり、持ち手が取り付けられているシートの角部と持ち手が取り付けられていないシートの角部を結んだ例を示す図である。
【図２６】本考案に係る持ち手の一例を示す斜視図であり、一対の持ち手の把持部を合わせたバッグの斜視図である。
【図２７】本考案に係る持ち手を用いたバッグの内袋の一例を示す斜視図である。
【図２８】本考案に係る持ち手を用いたバッグにおいて、持ち手にシートの角部を留め具で止めた例を示す図である。
【図２９】本考案に係る持ち手を用いたバッグにおいて、持ち手を取り付けたシートに内袋を取り付けた例を示す図である。
【図３０】本考案に係る持ち手を用いたバッグにおいて、持ち手を取り付けたシートと内袋の角部をしぼめた例を示す図である。
【図３１】本考案に係る持ち手を用いたバッグにおいて、持ち手を取り付けたシートと内袋の角部に結び目を設けた例を示す図である。
【図３２】本考案に係る持ち手を用いたバッグにおいて、一対の持ち手の把持部を持ち上げたバッグの斜視図である。
【図３３】本考案に係る持ち手を用いたバッグにおいて、一対の持ち手を用いたバッグと内袋の一例を示す斜視図である。
【図３４】本考案に係る持ち手を用いたバッグにおいて、バッグに内袋を取り付けた一例を示す斜視図である。
【図３５】（ａ）は本考案に係る持ち手を用いたバッグにおいて、一対の持ち手に内袋の輪を引っ掛ける前の一例を示す斜視図であり、（ｂ）は一対の持ち手に内袋の輪を引っ掛けた一例を示す斜視図である。
【考案を実施するための形態】
【００３０】
以下に、図面を参照して、本考案の一実施の形態について説明する。
【００３１】
＜実施の形態１＞
図１〜図７は、本考案に係る持ち手と持ち手を用いたバッグの一実施の形態を示している。
【００３２】
図１〜図７に示す板状の持ち手１は、風呂敷等の四角形のシート３をバッグにするために用いる、立面視において環状の持ち手１である。この持ち手１は、立面視において上部に設けられている把持部５と、把持部５の下方にシート３の角部７を挿入する第１の挿入部９と第１の挿入部９の両側にシート３の角部７を形成する辺をそれぞれ引っ掛ける引っ掛け部１１とを有するシート保持部１３とを備える。
【００３３】
シート保持部１３は、立面視において第１の挿入部９の下方に第１の挿入部９に挿入された角部７を固定する固定部を備えている。固定部は、シート３の角部７を挟んで固定する留め具１５であり、留め具１５はシート保持部１３にねじ止めされた基部１６と基部１６の一端に回転可能に取り付けられた押さえ部１７とからなり、基部１６には押さえ部１７の自由端を保持する保持部１９が設けられている。
【００３４】
立面視において第１の挿入部９は水平方向に細長い弓状の孔であり、第１の挿入部９の両端と引っ掛け部１１が隣接している。引っ掛け部１１は、第１の挿入部９の両端より上方に向けられた凸部である。凸部は把持部５の外周面からシート保持部１３に続く外周面に対向して設けられており、外周面と凸部の間にはシート３を挿入して引っ掛けるための隙間が設けられている。
【００３５】
＜持ち手の使用方法＞
次に、図１〜図７を参照して、持ち手１の使用方法について説明する。
【００３６】
始めに、図１、図２に示すように、第１の挿入部９にシート３の角部７を挿入し、角部７の各辺が第１の挿入部９の両端に近接するまで角部７を引っ張る。この際に、留め具１５は解放しておき、シート３は留め具１５が取り付けられていない面から挿入される。そして、角部７の辺が第１の挿入部９の両端に近接するまで角部７を引っ張った後に、図３に示すように、押さえ部１７の自由端を保持部１９で保持させて留め具１５で角部７を固定する。
【００３７】
図４に示すように、第１の挿入部９に挿入したシート３の角部７の各辺を引っ掛け部１１に引っ掛けて、隙間の下部までシート３の角部７の各辺を挿入する。図５に示すように、対向するシート３の角部７に一対の持ち手１を取り付ける。
【００３８】
次に、図６に示すように、持ち手１が取り付けられていないシート３の角部７のたるみをとるために、結び目３ａ，３ｂを設けると、図７に示すように、シート３が持ち手１，１を有するバッグとして使用可能になる。
【００３９】
＜実施の形態２＞
図８〜図１５は、本考案に係る持ち手と持ち手を用いたバッグの一実施の形態を示す。
【００４０】
図８〜図１５に示す板状の持ち手１ａは、風呂敷等の四角形のシート３をバッグにするために用いる立面視において台形状の持ち手１ａであって、立面視において上部に設けられている把持部５ａと、把持部５ａの下方にシート３の角部７を挿入する第１の挿入部９ａと第１の挿入部９ａの両側にシート３の角部７を形成する辺をそれぞれ引っ掛ける引っ掛け部１１ａとを有するシート保持部１３ａとを備える。
【００４１】
立面視において第１の挿入部９ａは水平方向に細長い直線状の孔であり、第１の挿入部９ａの両端と引っ掛け部１１ａが隣接している。引っ掛け部１１ａは、第１の挿入部９ａの両端より上方に向けられた凸部である。凸部は把持部５ａの外周面からシート保持部１３ａに続く外周面に対向して設けられており、外周面と凸部の間にはシート３を挿入して引っ掛けるための隙間が設けられている。
【００４２】
＜持ち手の使用方法＞
次に、図８〜図１５を参照して、持ち手１ａの使用方法について説明する。
【００４３】
始めに、図８、図９に示すように、第１の挿入部９ａにシート３の角部７を挿入し、角部７の各辺が第１の挿入部９ａの両端に近接するまで角部７を引っ張る。
【００４４】
次に、図１０、図１１に示すように、第１の挿入部９ａに挿入したシート３の角部７の各辺を引っ掛け部１１ａに持ち上げて引っ掛けて、隙間の下部までシート３の角部７の各辺を挿入する。図１２に示すように、対向するシート３の角部７に一対の持ち手１ａを取り付ける。
【００４５】
次に、図１３に示すように、持ち手１ａが取り付けられているシート３の角部７と持ち手１ａが取り付けられていないシート３の角部７ａを交差させる。その後、図１４に示すように、持ち手１ａが取り付けられているシート３の角部７と隣り合う持ち手１ａが取り付けられていないシート３の角部７ａをそれぞれ結び、結び目３ａ，３ｂを設けると、図１５に示すように、シート３が持ち手１ａ，１ａを有するバッグとして使用可能になる。
【００４６】
＜実施の形態３＞
図１６（ａ）〜図２６は、本考案に係る持ち手と持ち手を用いたバッグの一実施の形態を示す。
【００４７】
図１６（ａ）〜図２６に示す持ち手１ｂは、風呂敷等の四角形のシート３をバッグにするために用いる持ち手１ｂであって、立面視において上部に設けられている把持部５ｂと、把持部５ｂの下方にシート３の角部７を挿入する第１の挿入部９ｂと第１の挿入部９ｂの両側にシート３の角部７を形成する辺をそれぞれ引っ掛ける引っ掛け部１１ｂとを有するシート保持部１３ｂとを備える。
【００４８】
シート保持部１３ｂは、立面視において第１の挿入部９ｂの下方に第１の挿入部９ｂに挿入された角部７を固定する固定部を備えている。固定部は、第１の挿入部９ｂに挿入されたシート３の角部７を挿入して固定する第２の挿入部２１であり、第２の挿入部２１は水平方向に細長い孔であり、角部７が摩擦で抜けにくいように第１の挿入部９ｂと第２の挿入部２１が隣接している。第１の挿入部９ｂと第２の挿入部２１の間の部材には、シート３との摩擦力を大きくするために凹凸等を設けておく。
【００４９】
立面視において第１の挿入部９ｂと第２の挿入部２１は水平方向に細長い弓状の孔であり、第１の挿入部９ｂの両端と引っ掛け部１１ｂが隣接している。引っ掛け部１１ｂは、第１の挿入部９ｂの両端より上方に向けられた凸部である。凸部は把持部５ｂの外周からシート保持部１３ｂに続く外周に対向して設けられており、外周と凸部の間にはシート３を挿入して引っ掛けるための隙間が設けられている。図１６（ｂ）に示すように、凸部は、２つの渦巻き状の部材１１ｂ１，１１ｂ２が上方に隙間ａを有して対向して設けられている。
【００５０】
＜持ち手の使用方法＞
次に、図１６〜図２６を参照して、持ち手１ｂの使用方法について説明する。
【００５１】
始めに、図１６（ａ）、図１７に示すように、第１の挿入部９ｂにシート３の角部７を挿入し、角部７の辺が第１の挿入部９ｂの両端に近接するまで角部７を引っ張る。そして、角部７の辺が第１の挿入部９ｂの両端に近接するまで角部７を引っ張った後に、図１８、図１９に示すように、第２の挿入部２１にシート３の角部７を挿入し、角部７の辺が第２の挿入部２１の両端に近接するまで角部７を引っ張る。
【００５２】
図２０〜図２２に示すように、シート３の角部７の各辺を持ち上げ、シート３の各辺を隙間ａに通して、第１の挿入部９ｂに挿入したシート３の角部７の各辺を引っ掛け部１１ｂ１に引っ掛けて、隙間ａの下部までシート３の角部７の各辺を挿入する。図２３に示すように、対向するシート３の角部７に一対の持ち手１ｂを取り付ける。
【００５３】
次に、図２４に示すように、持ち手１ｂが取り付けられているシート３の角部７と持ち手１ｂが取り付けられていないシート３の角部７ａを交差させる。その後、図２５に示すように、持ち手１ｂが取り付けられているシート３の角部７と隣り合う持ち手１ｂが取り付けられていないシート３の角部７ａをそれぞれ結び、結び目３ａを設けると、図２６に示すように、シート３が持ち手１ｂを有するバッグとして使用可能になる。
【００５４】
＜実施の形態４＞
図２７〜図３２は、本考案に係る持ち手を用いた内袋を備えるバッグの一実施の形態を示している。
【００５５】
図２７〜図３２に示す板状の持ち手１は、風呂敷等の四角形のシート３をバッグにするために用いる環状の持ち手１である。この持ち手１は、立面視において上部に設けられている把持部５と、把持部５の下方にシート３の角部７を挿入する第１の挿入部９と第１の挿入部９の両側にシート３の角部７を形成する辺をそれぞれ引っ掛ける引っ掛け部１１とを有するシート保持部１３とを備える。
【００５６】
シート保持部１３は、立面視において第１の挿入部９の下方に第１の挿入部９に挿入された角部７を固定する固定部を備えている。固定部は、シート３の角部７を挟んで固定する留め具１５である。
【００５７】
立面視において第１の挿入部９は水平方向に細長い弓状の孔であり、第１の挿入部９の両端と引っ掛け部１１が隣接している。引っ掛け部１１は、第１の挿入部９の両端より上方に向けられた凸部である。凸部は把持部５の外周面からシート保持部１３に続く外周面に対向して設けられており、外周面と凸部の間にはシート３を挿入して引っ掛けるための隙間が設けられている。
【００５８】
図２８に示すように、第１の挿入部９にシート３の角部７を挿入し、角部７の各辺が第１の挿入部９の両端に近接するまで角部７を引っ張り、留め具１５でシート３の角部７を固定し広げた状態にする。
【００５９】
図２７に示す多角形の内袋４は、持ち手１と重なる部分を切り取ったシート３とほぼ同じ大きさである。そして、シート３と重ねた際に、引っ掛け部１１に対応する部分に複数の輪１２が設けられポケット４ｂが設けられている。
【００６０】
次に、図２９に示すように、シート３の上に内袋４を重ねて、輪１２を引っ掛け部１１にそれぞれ引っ掛ける。図３０に示すように、シートの角部７ａと内袋の角部７ａ１とをしぼめる。そして、図３１に示すように、結び目３ａを設け、図３２に示すように、持ち手１を引き上げることにより、バッグとして使用可能となる。
【００６１】
＜実施の形態５＞
図３３〜図３５は、本考案に係る持ち手を用いた内袋を備えるバッグの一実施の形態を示している。
【００６２】
図３３〜図３５に示す板状の持ち手１は、風呂敷等の四角形のシート３をバッグにするために用いる環状の持ち手１である。この持ち手１は、立面視において上部に設けられている把持部５と、把持部５の下方にシート３の角部７を挿入する第１の挿入部９と第１の挿入部９の両側にシート３の角部７を形成する辺をそれぞれ引っ掛ける引っ掛け部１１とを有するシート保持部１３とを備える。
【００６３】
シート保持部１３は、立面視において第１の挿入部９の下方に第１の挿入部９に挿入された角部７を固定する固定部を備えている。固定部は、シート３の角部７を挟んで固定する留め具１５である。
【００６４】
立面視において第１の挿入部９は水平方向に細長い弓状の孔であり、第１の挿入部９の両端と引っ掛け部１１が隣接している。引っ掛け部１１は、第１の挿入部９の両端より上方に向けられた凸部である。凸部は把持部５の外周面からシート保持部１３に続く外周面に対向して設けられており、外周面と凸部の間にはシート３を挿入して引っ掛けるための隙間が設けられている。
【００６５】
図３３に示すように、第１の挿入部９にシート３の角部７を挿入し、角部７の各辺が第１の挿入部９の両端に近接するまで角部７を引っ張り、留め具１５でシート３の角部７を固定し、持ち手を持ち上げたバッグにする。
【００６６】
図３３に示す内袋４ａは、環状の側部と底部を有し、側部の内側にはポケット４ｂが設けられ、側部の上部には複数の輪１２が設けられている。内袋４ａはシート３からなるバッグとほぼ同じ大きさである。そして、内袋４ａをバッグ内に挿入した際に、図３５（ａ）、図３５（ｂ）に示すように、引っ掛け部１１に対応する部分に設けられた複数の輪１２が引っ掛け部１１に引っ掛けられ、内袋を備えたバッグとして使用可能になる。
【符号の説明】
【００６７】
１，１ａ，１ｂ  持ち手
３  シート
４，４ａ  内袋
４ｂ  ポケット
３ａ，３ｂ  結び目
５，５ａ，５ｂ  把持部
７，７ａ，７ａ１  角部
９，９ａ，９ｂ  第１の挿入部
１１，１１ａ，１１ｂ  引っ掛け部
１１ｂ１，１１ｂ２  渦巻き状の部材
１２  輪
１３，１３ａ，１３ｂ  シート保持部
１５  留め具
１６  基部
１７  押さえ部
１９  保持部
２１  第２の挿入部
【図１】
0003195896.tif 000003
【図２】
0003195896.tif 000004
【図３】
0003195896.tif 000005
【図４】
0003195896.tif 000006
【図５】
0003195896.tif 000007
【図６】
0003195896.tif 000008
【図７】
0003195896.tif 000009
【図８】
0003195896.tif 000010
【図９】
0003195896.tif 000011
【図１０】
0003195896.tif 000012
【図１１】
0003195896.tif 000013
【図１２】
0003195896.tif 000014
【図１３】
0003195896.tif 000015
【図１４】
0003195896.tif 000016
【図１５】
0003195896.tif 000017
【図１６】
0003195896.tif 000018
【図１７】
0003195896.tif 000019
【図１８】
0003195896.tif 000020
【図１９】
0003195896.tif 000021
【図２０】
0003195896.tif 000022
【図２１】
0003195896.tif 000023
【図２２】
0003195896.tif 000024
【図２３】
0003195896.tif 000025
【図２４】
0003195896.tif 000026
【図２５】
0003195896.tif 000027
【図２６】
0003195896.tif 000028
【図２７】
0003195896.tif 000029
【図２８】
0003195896.tif 000030
【図２９】
0003195896.tif 000031
【図３０】
0003195896.tif 000032
【図３１】
0003195896.tif 000033
【図３２】
0003195896.tif 000034
【図３３】
0003195896.tif 000035
【図３４】
0003195896.tif 000036
【図３５】
0003195896.tif 000037
【手続補正書】
【提出日】平成26年12月1日(2014.12.1)
【手続補正１】
【補正対象書類名】実用新案登録請求の範囲
【補正対象項目名】請求項５
【補正方法】変更
【補正の内容】
【請求項５】
固定部は、角部を挟んで固定する留め具、または、第１の挿入部の下方に設けられた第２の挿入部である事を特徴とする請求項４に記載の持ち手。